(57)【要約】【課題】ロック爪が破損した状態のモジュラープラグを使用した場合でも、モジュラープラグがモジュラージャックから不用意に引き抜かれることを抑制できる電子装置を提供する。【解決手段】電子装置は、モジュラープラグを挿抜する差し込み口を有するモジュラージャックと、筐体壁面に形成されて差し込み口を露出させる開口部と、ロック部材とを備え、ロック部材は、壁面にスライド自在に設けられ退避位置とロック位置の間を移動可能な本体部と、本体部が退避位置にある状態でプラグ本体と離間しロック位置にスライド操作された際にプラグ本体の第１部位を押圧する押圧部を有する。プラグ本体は、押圧部に第１部位が押圧されることで第１部位と異なる第２部位が差し込み口の縁部および開口部の縁部の少なくとも何れか一方を押圧し、第２部位に押圧される縁部と押圧部とによって挟まれることでロックされる。【選択図】図２
2014038756.tif 000002
【特許請求の範囲】
【請求項１】
筐体と、
前記筐体の内部に設けられると共にモジュラープラグを挿抜する差し込み口を有するモジュラージャックと、
前記筐体の壁面に形成され、前記差し込み口を外部に露出させる開口部と、
前記差し込み口からの前記モジュラープラグの抜け出しを抑制するロック部材と、
を備え、
前記ロック部材は、
前記壁面にスライド自在に設けられて所定の退避位置とロック位置との間を移動可能な本体部と、
前記本体部に形成され、前記本体部が前記退避位置にある状態で前記モジュラープラグのプラグ本体と離間し、前記本体部が前記退避位置から前記ロック位置にスライド操作された際に前記プラグ本体の第１部位に当接すると共に該第１部位を押圧する押圧部と、
を有し、
前記プラグ本体は、前記押圧部によって前記第１部位が押圧されることにより、該第１部位と異なる第２部位が前記差し込み口の縁部および前記開口部の縁部の少なくとも何れか一方を押圧し、該第２部位によって押圧される縁部と前記押圧部とによって挟まれることでロックされる、
電子装置。
【請求項２】
前記押圧部は、前記本体部のスライド方向に沿った一の側面における前記ロック位置側の端部から一定範囲にわたって形成されると共に前記スライド方向に対して傾斜した傾斜面を含む、
請求項１に記載の電子装置。
【請求項３】
前記筐体の表面に形成された突起部であって、前記本体部が前記退避位置から前記ロック位置にスライド操作された際に前記本体部の背面と係合し、該本体部が前記ロック位置から前記退避位置側にスライドすることを規制する突起部を更に備える、
請求項１又は２に記載の電子装置。
【請求項４】
前記ロック部材は、前記筐体に形成された第２開口部に沿ってスライド自在に挿通され、その基端部に前記本体部が接続される脚部を更に備え、
前記脚部の先端側に、前記第２開口部の縁部と係合して前記脚部の抜け出しを抑制する係合部が形成されている、
請求項１から３の何れか一項に記載の電子装置。
【請求項５】
前記第２開口部は、前記本体部のスライド方向に沿った上縁および下縁を有する長孔であって、
前記脚部は、前記本体部から立設すると共に前記上縁および下縁に対して摺接する摺接面を有する、
請求項４に記載の電子装置。
【発明の詳細な説明】
【技術分野】
【０００１】
本発明は、電子装置に関する。
【背景技術】
【０００２】
従来、電話機やＬＡＮ（ローカルエリアネットワーク）装置等の機器とケーブルとの接続には、モジュラー式コネクタが広く用いられている。モジュラー式コネクタは、機器側に設けられたモジュラージャックと、ケーブルの端部に連結されたモジュラープラグとを含んで形成されている。
【０００３】
図１は、従来のモジュラープラグ２０を示す図である。モジュラープラグ２０は、プラグ本体（ハウジング）２１、ロック爪２２、およびレバー部２３等を有する。プラグ本体２１には接続端子２４が設けられており、この接続端子２４はケーブル２５と電気的に接続されている。
【０００４】
ロック爪２２は、モジュラープラグ２０がモジュラージャックに挿入された際に、その離脱を抑制するために機能する部材である。ロック爪２２は、レバー部２３と一体に形成されていると共にプラグ本体２１に設置されている。レバー部２３は、ロック爪２２との連結部を支点として、図１に示す原形状態からＸ方向に撓み（たわみ）変形することが可能となっている。
【０００５】
モジュラープラグ２０を機器側に設けられたモジュラージャックに挿入させると、ロック爪２２がモジュラージャックにロックされ、モジュラープラグ２０が不用意にモジュラージャックから抜け出すことが抑制される。一方、モジュラープラグ２０をモジュラージャックから取り外す際には、レバー部２３を上記Ｘ方向に押圧し、撓ませた状態でプラグ本体２１を引き抜くように操作する。レバー部２３を上記の如く撓ませることでロック爪２２のロックが解除され、モジュラープラグ２０をモジュラージャックから取り外すことができる。
【先行技術文献】
【特許文献】
【０００６】
【特許文献１】特開平１０−４１００３号公報
【特許文献２】実開平５−８４０６６号公報
【特許文献３】特開２００６−２９４２６０号公報
【特許文献４】特開２００６−１００５２１号公報
【発明の概要】
【発明が解決しようとする課題】
【０００７】
しかし、モジュラープラグ２０のロック爪２２に対して、使用者が強く触れる等、何らかの外力が作用した場合、ロック爪２２が折れて破損する場合がある。ロック爪２２が折れた状態のモジュラープラグ２０を使用する場合、ケーブル２５を介したデータ通信中にモジュラープラグ２０がモジュラージャックから不用意に引き抜かれることで、データが損傷する虞がある。そして、ロック爪２２が破損した状態のモジュラープラグ２０を修理したり、新しいものと交換する場合には、労力やコストの負担が掛かってしまうという不都合が生じていた。
【０００８】
本件の目的は、ロック爪が破損した状態のモジュラープラグを使用した場合でも、モジュラープラグがモジュラージャックから不用意に引き抜かれることを抑制できる電子装置
を提供することにある。
【課題を解決するための手段】
【０００９】
本件の一観点による電子装置は、筐体と、前記筐体の内部に設けられると共にモジュラープラグを挿抜する差し込み口を有するモジュラージャックと、前記筐体の壁面に形成され、前記差し込み口を外部に露出させる開口部と、前記差し込み口からの前記モジュラープラグの抜け出しを抑制するロック部材と、を備え、前記ロック部材は、前記壁面にスライド自在に設けられて所定の退避位置とロック位置との間を移動可能な本体部と、前記本体部に形成され、前記本体部が前記退避位置にある状態で前記モジュラープラグのプラグ本体と離間し、前記本体部が前記退避位置から前記ロック位置にスライド操作された際に前記プラグ本体の第１部位に当接すると共に該第１部位を押圧する押圧部と、を有し、前記プラグ本体は、前記押圧部によって前記第１部位が押圧されることにより、該第１部位と異なる第２部位が前記差し込み口の縁部および前記開口部の縁部の少なくとも何れか一方を押圧し、該第２部位によって押圧される縁部と前記押圧部とによって挟まれることでロックされる。
【００１０】
本件によれば、ロック爪が破損した状態のモジュラープラグを使用した場合でも、モジュラープラグがモジュラージャックから不用意に引き抜かれることを抑制できる電子装置を提供することができる。
【図面の簡単な説明】
【００１１】
【図１】従来のモジュラープラグを示す図である。
【図２】実施形態に係る電子装置の斜視図である。
【図３】実施形態に係る電子装置の側面図である。
【図４】筐体における側壁面のうちプラグ挿入口周辺の拡大図である。
【図５Ａ】実施形態に係るロック部材の外観図である。
【図５Ｂ】実施形態に係るロック部材の外観図である。
【図５Ｃ】実施形態に係るロック部材の外観図である。
【図５Ｄ】実施形態に係るロック部材の外観図である。
【図６】実施形態に係る筐体における側壁面の一部を示す図である。
【図７Ａ】実施形態に係るロック部材を筐体の側壁面に取り付けた状態を示す図である。
【図７Ｂ】実施形態に係るロック部材を筐体の側壁面に取り付けた状態を示す図である。
【図８Ａ】実施形態に係るロック部材の動作を説明する説明図である。
【図８Ｂ】実施形態に係るロック部材の動作を説明する説明図である。
【図９】ロック爪が破損した状態のモジュラープラグを示す図である。
【図１０】ロック部材がロック位置にスライド操作された際のロック部材、プラグ本体、およびコネクタ縁部間における力の伝達状態を説明する図である。
【図１１】スライド本体部がロック位置にある状態におけるスライド本体部と突起部との相対関係を示す図である。
【図１２】変形例に係る電子装置を説明する図である。
【発明を実施するための形態】
【００１２】
以下、図面を参照して、発明を実施するための実施形態に係る電子装置について例示的に詳しく説明する。
【００１３】
図２は、実施形態に係る電子装置１の斜視図である。図３は、実施形態に係る電子装置１の側面図である。電子装置１は、例えば、ノート型パーソナルコンピュータ（「ラップトップ型パーソナルコンピュータ」とも呼ばれる場合がある）である。電子装置１は、装
置本体２と、装置本体２にヒンジを介して回動自在に連結されるディスプレイ３とを備える。ヒンジを介したディスプレイ３の回動動作によって、装置本体２に対してディスプレイ３を開閉することができる。
【００１４】
電子装置１は、前述のモジュラープラグ２０を挿抜可能なコネクタであるモジュラージャック１１を備える。図３に示す符号１２は、電子装置１における装置本体２の筐体である。モジュラージャック１１は、筐体１２の内部に配設されている。また、筐体１２における一の側壁面１２０には、モジュラープラグ２０の挿入を可能とする開口部（以下、「プラグ挿入口」という。）１２１が形成されている。また、符号１２２は、プラグ挿入口１２１の周囲に形成される縁部である筐体縁部を表す。プラグ挿入口１２１は、この筐体縁部１２２によって画定される。プラグ挿入口１２１は開口部の一例である。プラグ挿入口１２１は、例えば、筐体１２のロアカバーに形成されている。
【００１５】
図４には、筐体１２における側壁面１２０のうち、プラグ挿入口１２１の周辺が拡大して示されている。図４の符号１１０は、モジュラージャック１１の差し込み口を表す。また、符号１１１は、差し込み口１１０を囲むようにして差し込み口１１０の周囲に形成される縁部であるコネクタ縁部を示す。コネクタ縁部１１１は、差し込み口の周囲に形成される縁部の一例である。モジュラージャック１１の差し込み口１１０は、側壁面１２０に形成されたプラグ挿入口１２１を通じて外部に露出している。モジュラープラグ２０は、プラグ挿入口１２１を通じて、筐体１２の内部に配設されるモジュラージャック１１へとアクセスすることが可能となっている。
【００１６】
図４においては、差し込み口１１０の周囲を囲むコネクタ縁部１１１とプラグ挿入口１２１との見分けが付き易いようにコネクタ縁部１１１にドット模様を付して作図している。モジュラージャック１１は、差し込み口１１０およびコネクタ縁部１１１を有する。このコネクタ縁部１１１は、筐体１２における側壁面１２０の内部側に配置されており、プラグ挿入口１２１を通じて、コネクタ縁部１１１および差し込み口１１０が外部に露出している。モジュラージャック１１の差し込み口１１０にモジュラープラグ２０が挿入されると、モジュラープラグ２０の接続端子２４とモジュラージャック１１の端子とが電気的に接続され、相互間でのデータ通信が可能となる。
【００１７】
筐体１２の側壁面１２０におけるプラグ挿入口１２１の近傍には、ロック部材１３が筐体１２に対して図中の矢印で示す方向（以下、「スライド方向」という。）にスライド自在に取り付けられている。ロック部材１３は、ロック爪が破損した状態のモジュラープラグ２０を使用した場合においても、モジュラープラグ２０をロックし、モジュラージャック１１からの不用意なモジュラープラグの引き抜きを抑制するための部材である。
【００１８】
図５Ａ〜５Ｄは、実施形態に係るロック部材１３の外観図である。ロック部材１３は、スライド本体部１４、第１脚部１５、第２脚部１６を有する。スライド本体部１４は本体部の一例であり、第１脚部１５および第２脚部１６は脚部の一例である。
【００１９】
図５Ａは、ロック部材１３の正面図であり、ロック部材１３の上下左右方向を図示のように定義する。また、図５Ｂおよび５Ｃは、ロック部材１３の外観斜視図である。図５Ｂは、ロック部材１３を前方から眺めた状態を示し、図５Ｃは、ロック部材１３は背面側から眺めた状態を示す。図５Ｄは、ロック部材１３の側面図である。
【００２０】
ロック部材１３において、スライド本体部１４は、矩形の一角にテーパー状の傾斜面１４１を設けた形状をなしている。具体的には、スライド本体部１４は、長辺方向に配置された一組の対向する上面１４２および下面１４３、短辺方向に配置された一組の対向する左側面１４４および右側面１４５、並びに傾斜面１４１を有する。傾斜面１４１は、下面
１４３と右側面１４５との間を接続するように配置されている。更に、スライド本体部１４の正面１４６側には、複数の凸部１４７が設けられている。傾斜面１４１は、スライド本体部１４における一方の端部である右側面１４５から、一定範囲にわたって形成されている。複数の凸部１４７は、後述するように、使用者がスライド本体部１４を摘んでスライド操作を行う際に、当該スライド操作を行い易くするために設けられている。
【００２１】
スライド本体部１４の背面１４８側には、第１脚部１５および第２脚部１６が所定の隙間を挟んで互いに平行に立設している。第１脚部１５および第２脚部１６は、スライド本体部１４の長辺方向に沿ってスライド本体部１４の背面１４８から垂直に立設しており、上記隙間を挟んで互いに対向している。
【００２２】
更に、スライド本体部１４の背面１４８には、第１脚部１５および第２脚部１６の両側に、スライド本体部１４の長辺方向に沿って伸びる第１線状凸部１４９Ａ、第２線状凸部１４９Ｂがそれぞれ突設されている。図３Ｃに示す例では、２つの第１線状凸部１４９Ａが上下に並んで配置されているが、第１線状凸部１４９Ａの数は特段限定されない。同様に、図５Ｃに示す例では、２つの第２線状凸部１４９Ｂが上下に並んで配置されているが、第２線状凸部１４９Ｂの数は特段限定されない。
【００２３】
次に、第１脚部１５および第２脚部１６の詳細について説明する。第１脚部１５は、スライド本体部１４から立設する第１壁部１５１と、この第１壁部１５１の先端側に設けられる第１爪部１５２とを有する。また、第２脚部１６は、スライド本体部１４から立設する第２壁部１６１と、この第２壁部１６１の先端側に設けられる第２爪部１６２とを有する。第１壁部１５１と第２壁部１６１とは、所定の間隔をおいて、互いに平行にスライド本体部１４の背面１４８から立設している。
【００２４】
第１壁部１５１は、スライド本体部１４から立設する面として対向面１５１Ａおよび摺接面１５１Ｂを有する。同様に、第２壁部１６１もスライド本体部１４から立設する面として対向面１６１Ａおよび摺接面１６１Ｂを有する。対向面１５１Ａ，１６１Ａおよび摺接面１５１Ｂ，１６１Ｂは、スライド本体部１４の上面１４２および下面１４３に平行に延びるように立設している。対向面１５１Ａ，１６１Ａは互いに向き合っている。また、第１壁部１５１の摺接面１５１Ｂはロック部材１３の上方を臨むように配置され、第２壁部１６１の摺接面１６１Ｂはロック部材１３の下方を臨むように配置されている。
【００２５】
第１爪部１５２は、摺接面１５１Ｂの先端からロック部材１３の上方へ垂直に伸びる係止面１５２Ａ、対向面１５１Ａの先端からロック部材１３の上方へ垂直に伸びる頂面１５２Ｂ、係止面１５２Ａおよび頂面１５２Ｂを接続する斜面１５２Ｃを有する。第２爪部１６２は、摺接面１６１Ｂの先端からロック部材１３の下方へ垂直に伸びる係止面１６２Ａ、対向面１６１Ａの先端からロック部材１３の下方へ垂直に伸びる頂面１６２Ｂ、係止面１６２Ａおよび頂面１６２Ｂを接続する斜面１６２Ｃを有する。
【００２６】
図６は、筐体１２における側壁面１２０の一部を示す図である。図６に示す状態において、モジュラージャック１１にはモジュラープラグ２０が挿入されていない（嵌合されていない）。また、図６は、筐体１２の側壁面１２０に対してロック部材１３を取り付ける前の状態を示している。筐体１２の側壁面１２０におけるプラグ挿入口１２１の近傍には、側壁面１２０にロック部材１３を取り付けるための取り付け用開口部１２３が形成されている。取り付け用開口部１２３は、矩形状を有する長孔であり、側壁面１２０を貫通する貫通孔である。また、取り付け用開口部１２３は、その長辺方向が側壁面１２０の横方向に沿って形成されている。なお、筐体１２の側壁面１２０における上下左右方向は、図６に示すように定義する。取り付け用開口部１２３は、第２開口部の一例である。図６中、符号１２４〜１２７は、取り付け用開口部１２３の縁部のうち、上縁、下縁、左側縁、
右側縁をそれぞれ示している。また、筐体１２の側壁面１２０において、取り付け用開口部１２３とプラグ挿入口１２１との間には、側壁面１２０の表面に突起部１７が形成されている。突起部１７の詳細については後述する。
【００２７】
図７Ａおよび図７Ｂは、実施形態に係るロック部材１３を筐体１２の側壁面１２０に取り付けた状態を示す図である。図７Ａは、筐体１２の内側から側壁面１２０を眺めた際におけるロック部材１３の取り付け状態を示している。また、図７Ｂは、筐体１２のうち、ロック部材１３が設置される側壁面１２０の直交断面を示している。なお、図７Ａにおいては、筐体１２の内部にモジュラージャック１１を設置する前の状態を示している。ここで、プラグ挿入口１２１の周囲に形成される筐体縁部１２２のうち、側壁面１２０の左右方向に沿って形成される縁部を「下方縁部１２２Ａ」と称する。そして、この下方縁部１２２Ａの両端から上方に向かって伸びる縁部のうち、側壁面１２０を正面から眺めて右側に位置する方を右側縁部１２２Ｂと称し、左側に位置する方を左側縁部１２２Ｃと称する。
【００２８】
筐体１２の側壁面１２０にロック部材１３を取り付ける際、使用者は、例えばスライド本体部１４を把持し、第１脚部１５および第２脚部１６を取り付け用開口部１２３に挿通させる。その際、取り付け用開口部１２３の上縁１２４に対して第１爪部１５２の斜面１５２Ｃが当接し、取り付け用開口部１２３の下縁１２５に対して第２爪部１６２の斜面１６２Ｃが当接する。その状態からロック部材１３が使用者によって押し込まれると、取り付け用開口部１２３の上縁１２４および下縁１２５に対して斜面１５２Ｃ，１６２Ｃが摺動するため、第１脚部１５および第２脚部１６が内側に撓む。その結果、ロック部材１３は、第１脚部１５および第２脚部１６の撓み変形を伴いながら取り付け用開口部１２３に押し込まれる。
【００２９】
取り付け用開口部１２３の上縁１２４および下縁１２５を斜面１５２Ｃ，１６２Ｃが乗り越えると、第１脚部１５および第２脚部１６の撓み状態が解除される。そして、更には、係止面１５２Ａ，１６２Ａがそれぞれ上縁１２４および下縁１２５に引っ掛かることで係止される。このように、第１爪部１５２および第２爪部１６２が取り付け用開口部１２３の上縁１２４および下縁１２５と係合することで、第１脚部１５および第２脚部１６の不用意な抜け出しが抑制される。第１爪部１５２および第２爪部１６２は、係合部の一例である。
【００３０】
以上のように、本実施形態に係るロック部材１３は、スライド本体部１４が筐体１２の外部に露出し、且つ、第１脚部１５および第２脚部１６が取り付け用開口部１２３に挿通された状態で、筐体１２にスライド自在に取り付けられる。なお、図７Ａには、ロック部材１３のスライド方向を矢印にて示している。
【００３１】
本実施形態においては、第１脚部１５の摺接面１５１Ｂと第２脚部１６の摺接面１６１Ｂとの距離が、上縁１２４と下縁１２５との間隔に略等しい寸法として設定されている。そのため、ロック部材１３が筐体１２に装着された状態において、第１脚部１５の摺接面１５１Ｂが上縁１２４に摺接し、第２脚部１６の摺接面１６１Ｂが下縁１２５に摺接した状態となる。これによれば、ロック部材１３をスライド方向にスライド操作した際に、ロック部材１３の姿勢が不安定になることを抑制できる。これにより、ロック部材１３の安定したスライド操作が可能となる。
【００３２】
次に、ロック部材１３および突起部１７を含んで実現されるロック構造について説明する。図８Ａ，８Ｂは、ロック部材１３の動作を説明する説明図である。図８Ａ，８Ｂは、筐体１２の側壁面１２０を正面から眺めた正面図である。図８Ａは、ロック部材１３におけるスライド本体部１４が、所定の「退避位置」にある状態を示している。図８Ｂは、ロ
ック部材１３におけるスライド本体部１４が、所定の「ロック位置」にある状態を示している。退避位置およびロック位置の詳細については後述する。
【００３３】
スライド本体部１４は、モジュラージャック１１の差し込み口１１０に挿入された状態のモジュラープラグ２０に対して相対的に離れた「退避位置」と、相対的に近づいた「ロック位置」との間で取り付け用開口部１２３の長手方向（スライド方向）に沿ってスライド自在である。スライド本体部１４が「退避位置」にある状態では、スライド本体部１４の傾斜面１４１は、モジュラープラグ２０のプラグ本体２１と離間した状態となる。もっとも、スライド本体部１４が「退避位置」にある状態では、スライド本体部１４の傾斜面１４１は、モジュラープラグ２０のロック爪２２やレバー部２３とも干渉しないようになっている。従って、図１に示したロック爪２２が破損していないモジュラープラグ２０をモジュラージャック１１に挿入する際、使用者は、ロック部材１３のスライド本体部１４がモジュラープラグ２０と干渉しないように、スライド本体部１４を退避位置に保持させる。
【００３４】
次に、図９に示すようなロック爪２２が破損しているモジュラープラグ（以下、「ロック爪破損プラグ」という。）２０Ａをモジュラージャック１１に挿入して使用する場合について説明する。ロック爪破損プラグ２０Ａを使用する場合、使用者は、筐体１２のプラグ挿入口１２１を通じて外部に露出しているモジュラージャック１１の差し込み口１１０にロック爪破損プラグ２０Ａを挿入する。モジュラージャック１１の差し込み口１１０にロック爪破損プラグ２０Ａが挿入される際、ロック部材１３のスライド本体部１４は、図８Ａに示す「退避位置」に保持されている。
【００３５】
ところで、図１に示すモジュラープラグ２０や図９に示すロック爪破損プラグ２０Ａにおいては、プラグ本体２１の底面２１０に段差部２１１が形成されている。プラグ本体２１は、段差部２１１を境にして接続端子２４と反対方向に位置する前端側底面２１２が、段差部２１１よりも後端側に位置する一般底面２１３に比べて一段下がっている。言い換えると、プラグ本体２１は、一般底面２１３に比べて前端側底面２１２の方が厚くなっており、一般底面２１３に比べて前端側底面２１２の方が下方に突出している。また、図１、図９中の符号２１４、２１５は、プラグ本体２１における右側面、左側面を示している。プラグ本体２１を前端側から眺めて、底面２１０の右端部から立ち上がる方の側面が右側面２１４であり、左端部から立ち上がる方の側面が左側面２１５である。
【００３６】
図８Ａに示す鎖線は、モジュラージャック１１の差し込み口１１０に挿入されたロック爪破損プラグ２０Ａの外形を示すものである。ここで、鎖線Ｌ１、Ｌ２、Ｌ３、Ｌ４は、ロック爪破損プラグ２０Ａにおけるプラグ本体２１の前端側底面２１２、一般底面２１３、右側面２１４、左側面２１５に対応する位置をそれぞれ示したものである。
【００３７】
一方、モジュラージャック１１におけるコネクタ縁部１１１のうち、符号１１１Ａは側壁面１２０の左右方向に沿って形成される下方縁部を表す。また、下方縁部１１１Ａの両端から上側に向かって伸びる部分のうち、側壁面１２０を正面から眺めて右側に位置する方の縁部を右側縁部１１１Ｂと称し、左側に位置する方の縁部を左側縁部１１１Ｃと称する。差し込み口１１０の幅寸法は、右側縁部１１１Ｂと左側縁部１１１Ｃとの離れ寸法（言い換えると、下方縁部１１１Ａの長さ寸法）によって規定される。差し込み口１１０の幅寸法は、例えばプラグ本体２１の幅寸法と同一寸法、或いは僅かにプラグ本体２１の幅寸法よりも大きな寸法として設定されている。
【００３８】
図８Ａに示すように、モジュラージャック１１の差し込み口１１０にロック爪破損プラグ２０Ａが挿入された状態で、モジュラージャック１１の下方縁部１１１Ａには、一般底面２１３が当接している（図中、Ｌ１を参照）。一方、プラグ本体２１の前端側底部２１
２は、筐体１２における側壁面１２０よりも外方に配置されており、モジュラージャック１１の下方縁部１１１Ａよりも低位置に配置されている（図中、Ｌ２を参照）。また、プラグ本体２１における右側面２１４とモジュラージャック１１における右側縁部１１１Ｂとは互いに当接しているか、双方の間に僅かな隙間が形成されている。同様に、プラグ本体２１における左側面２１５とモジュラージャック１１における左側縁部１１１Ｃとは互いに当接しているか、双方の間に僅かな隙間が形成されている。
【００３９】
ロック爪破損プラグ２０Ａは、モジュラージャック１１のコネクタ縁部１１１にロックされるべきロック爪２２が破損している。そのため、図８Ａに示す状態のままでは、ケーブル２５を介したデータ通信中にロック爪破損プラグ２０Ａとモジュラージャック１１との接続状態が不安定になり、データが損傷する虞がある。そこで、使用者はロック部材１３のスライド操作を行い、図８Ｂに示すようにスライド本体部１４の位置を「退避位置」から「ロック位置」に移動させる。
【００４０】
図１０は、ロック部材１３が「ロック位置」にスライド操作された際のロック部材１３、プラグ本体２１、およびコネクタ縁部１１１間における力の伝達状態を説明する図である。ロック部材１３のスライド本体部１４が「退避位置」から「ロック位置」までスライドすると、スライド本体部１４の傾斜面１４１がプラグ本体２１の左上角部２１６に当接する。
【００４１】
スライド本体部１４が「退避位置」から「ロック位置」までスライド操作される際、スライド本体部１４は側璧面１２０の左側から右方向へ向けて移動する。一方、傾斜面１４１はスライド本体部１４のスライド方向（スライド軸）に対して傾斜している。そのため、使用者がスライド本体部１４を右方向へスライドさせるために加えた力は、傾斜面１４１を介して斜め右下方向へと変換される。その結果、傾斜面１４１によって左上角部２１６が図示の矢印Ｆ１に示される斜め右下方向へと押圧される。以下、ロック部材１３の傾斜面１４１が左上角部２１６を押圧する力を、「第１押圧力」と称する。
【００４２】
プラグ本体２１は、その左上角部２１６が傾斜面１４１によって斜め右下方向に押圧されることで、コネクタ縁部１１１に押し付けられる。その際、プラグ本体２１がコネクタ縁部１１１を押圧する力を「第２押圧力」と称し、符号Ｆ２にて示す。図１０に示す例では、第１押圧力に起因して、プラグ本体２１の一般底面２１３がコネクタ縁部１１１の下方縁部１１１Ａに押し付けられる。つまり、プラグ本体２１の一般底面２１３が、コネクタ縁部１１１の下方縁部１１１Ａを下方に向けて押圧する。そして、プラグ本体２１の一般底面２１３がモジュラージャック１１の下方縁部１１１Ａを押圧することで、下方縁部１１１Ａと傾斜面１４１とによってプラグ本体２１が挟まれる。その結果、プラグ本体２１の固定度が高まり、プラグ本体２１がロックされる。
【００４３】
以上のように、本実施形態に係る電子装置１によれば、ロック部材１３のロック位置へのスライド操作がなされることにより、モジュラージャック１１の下方縁部１１１Ａとロック部材１３の傾斜面１４１とによってプラグ本体２１が挟まれ、ロックされる。これにより、使用者がロック爪破損プラグ２０Ａに触れるなど、ロック爪破損プラグ２０Ａに何らかの外力が加わったとしても、ロック爪破損プラグ２０Ａが不用意にモジュラージャック１１の差し込み口１１０から抜け出すことを抑制できる。
【００４４】
その結果、ケーブル２５を介したデータ通信中に、ロック爪破損プラグ２０Ａの接続端子２４とモジュラージャック１１の端子との電気的に遮断されることを抑制できる。これにより、電子装置１と外部装置とのデータ通信が中断されたり、データが破損する等といった不都合を抑止することが可能となる。スライド本体部１４が「退避位置」から「ロック位置」までスライド操作される際にプラグ本体２１の左上角部２１６を押圧する傾斜面
１４１が押圧部の一例である。また、その際に傾斜面１４１によって押圧される左上角部２１６が、第１部位の一例として挙げられる。更に、プラグ本体２１のうち、左上角部２１６と異なる部位であって且つモジュラージャック１１の下方縁部１１１Ａを押圧する一般底面２１３が第２部位の一例として挙げられる。
【００４５】
ところで、第１押圧力Ｆ１の向きは、スライド本体部１４のスライド方向に対する傾斜面１４１の傾斜度合いによって変化する。傾斜面１４１の傾斜度合いが大きくなるに従い、第１押圧力における水平方向の分力（水平分力）が大きくなる一方、垂直方向の分力（垂直分力）が小さくなる。例えば、傾斜面１４１の傾斜度合いを増加させていくと、第１押圧力Ｆ１の向きは、プラグ本体２１の左上角部２１６と右下角部とを結ぶ対角方向へと徐々に近づいていく。なお、スライド本体部１４における傾斜面１４１の傾斜度合いについては、適宜変更することができる。
【００４６】
図１０に示す例では、第１押圧力Ｆ１のうち、下向きの分力に比べて右向きの分力は小さいものの、この右向きの分力はプラグ本体２１を横方向に押圧する。従って、この右向きの分力によって、プラグ本体２の右側面２１４がモジュラージャック１１における右側縁部１１１Ｂに押し付けられる。この場合、プラグ本体２１は、スライド本体部１４の傾斜面１４１と下方縁部１１１Ａとにより挟まれると共に、傾斜面１４１と右側縁部１１１Ｂとによっても挟まれることによって、ロックされる。その一例として、第１押圧力Ｆ１が、プラグ本体２１の左上角部２１６から右下角部へと向かう対角方向に沿って作用する態様が挙げられる。この場合、スライド本体部１４の傾斜面１４１と、モジュラージャック１１における下方縁部１１１Ａと右側縁部１１１Ｂとの接続部によりプラグ本体２１が挟持されることでロックされ、不用意な抜け出しが抑制される。
【００４７】
ところで、スライド本体部１４がロック位置にある状態では、プラグ本体２１側から第１押圧力Ｆ１と逆方向の反力をスライド本体部１４が受けることになる。この反力は、スライド本体部１４をロック位置から退避位置へと戻そうとする。そこで、本実施形態に係る電子装置１においては、ロック部材１３を退避位置からロック位置にスライドさせた際に、ロック位置に保持するために機能する突起部１７を備えている。以下、筐体１２における側壁面１２０に設けられた突起部１７の詳細について説明する。
【００４８】
ここで、突起部１７は、側壁面１２０における取り付け用開口部１２３の右側に設けられている。図８Ａおよび図８Ｂに示したように、ロック部材１３が退避位置にある状態では突起部１７がスライド本体部１４の下に潜り込み、ロック位置にある状態では突起部１７がスライド本体部１４の下に潜り込むように両者の位置関係が規定されている。
【００４９】
図１１は、スライド本体部１４がロック位置にある状態におけるスライド本体部１４と突起部１７との相対関係を示す図である。具体的には、図１１は、スライド本体部１４および突起部１７の水平断面を示している。上記のように、スライド本体部１４の背面１４８には、第１線状凸部１４９Ａおよび第２線状凸部１４９Ｂが形成されている。スライド本体部１４を退避位置からロック位置に向かってスライド操作すると、スライド本体部１４の第２線状凸部１４９Ｂが、側壁面１２０の突起部１７に乗り上げる。その際、図１１に示すように、スライド本体部１４の反り変形を伴いながら第２線状凸部１４９Ｂが突起部１７に乗り上げることにより、第２線状凸部１４９Ｂと突起部１７とが互いに係合する。つまり、スライド本体部１４がロック位置にスライド操作された際に、突起部１７が第２線状凸部１４９Ｂと噛み合う。
【００５０】
その結果、スライド本体部１４がプラグ本体２１側から第１押圧力Ｆ１と逆方向の反力を受けても、その反力に抗して突起部１７と第２線状凸部１４９Ｂとの係合状態が維持される結果、スライド本体部１４をロック位置に保持することができる。つまり、スライド
本体部１４がロック位置から退避位置にスライドすることを抑制し、ロック爪破損プラグ２０Ａのロックが不用意に解除されることを抑制できる。なお、本実施形態では、第２線状凸部１４９Ｂをスライド本体部１４の長手方向に沿って配置したが、これには限定されない。
【００５１】
なお、本実施形態に係るロック部材１３によれば、図７Ｂに示したように、第１壁部１５１の摺接面１５１Ｂが、取り付け用開口部１２３の上縁１２４に当接している。そのため、スライド本体部１４がロック位置にある状態でスライド本体部１４がプラグ本体２１側から第１押圧力Ｆ１と逆方向の反力を受けた際、第１壁部１５１が上記反力に対する抵抗要素として機能させることができる。これにより、スライド本体部１４の傾斜面１４１は、ロック爪破損プラグ２０Ａのプラグ本体２１をより大きな力で押圧することができるため、ロック爪破損プラグ２０Ａの固定度をより一層高めることができる。
【００５２】
ロック爪破損プラグ２０Ａをモジュラージャック１１の差し込み口１１０から引き抜く際には、使用者は、スライド本体部１４をロック位置から退避位置にスライドさせる。これにより、スライド本体部１４の傾斜面１４１がプラグ本体２１の左上角部２１６から離反する。その結果、ロック爪破損プラグ２０Ａにおけるプラグ本体２１のロック状態が解除され、ロック爪破損プラグ２０Ａをモジュラージャック１１から容易に引き抜くことができるようになる。
【００５３】
本実施形態に係る電子装置１は、ロック部材１３を備えるため、ロック爪破損プラグ２０Ａを修理したり、新しいものと交換することなく使用することができる。そのため、使用者にロック爪破損プラグ２０Ａの修理あるいは交換に要する手間やコストの負担が掛かることを抑制できる。
【００５４】
また、ロック部材１３は、筐体１２の取り付け用開口部１２３に挿通された第１脚部１５および第２脚部１６を有し、これらの先端部に第１爪部１５２、第２爪部１６２を設けるようにした。これによれば、ロック部材１３を取り付け用開口部１２３に沿ってスライド自在としつつ、取り付け用開口部１２３からロック部材１３が抜け出すことを抑制できる。
【００５５】
また、ロック部材１３における第１脚部１５および第２脚部１６は、スライド本体部１４から立設すると共に、取り付け用開口部１２３の上縁１２４および下縁１２５と摺接する摺接面１５１Ｂ，１６１Ｂを有するようにした。これにより、ロック部材１３の姿勢を安定した姿勢に保持することができる。よって、使用者は、ロック部材１３を円滑にスライド操作することが可能となる。
【００５６】
更に、ロック部材１３は、スライド本体部１４の背面１４８のうち、第１脚部１５および第２脚部１６を挟んで退避位置側の部分に第１線状凸部１４９Ａを設けるようにした。この第１線状凸部１４９Ａは、スライド本体部１４がスライドする際、筐体１２の側璧面１２０に摺接する。これによれば、第１線状凸部１４９Ａを側璧面１２０に摺接させつつスライド本体部１４をスライドさせることができるので、スライド操作時にスライド本体部１４の姿勢を側璧面１２０に対して平行に保持できる。その結果、使用者は、ロック部材１３のスライド操作をより円滑に行うことができるようになる。
【００５７】
なお、ロック部材１３に使用する材料は特定のものに限定されないが、例えば樹脂やゴム等を用いることができる。特に、スライド本体部１４の傾斜面１４１を樹脂やゴムを用いて形成すると好適である。これによれば、傾斜面１４１がプラグ本体２１に当接した際に、傾斜面１４１は多少の弾性変形を伴いながらプラグ本体２１を押圧するようになる。そのため、ロック部材１３を用いてロック爪破損プラグ２０Ａをロックする際に、プラグ
本体２１の固定度をより一層高めることができる。
【００５８】
以上述べた実施形態は、本件の本旨を逸脱しない範囲において種々の変更を加えることができる。例えば、筐体１２の側璧面１２０に設けたプラグ挿入口１２１と取り付け用開口部１２３との相対的な位置関係は、種々の変更を加えることができる。また、プラグ挿入口１２１の形状は適宜変更することができる。また、ロック部材１３のスライド方向についても、プラグ挿入口１２１と取り付け用開口部１２３との相対的な位置関係に応じて自由に決定することができる。
【００５９】
上述の実施形態においては、ロック部材１３の傾斜面１４１によって押圧されたプラグ本体２１がモジュラージャック１１のコネクタ縁部１１１を押圧することでプラグ本体２１がロックされる例を説明したが、これには限定されない。例えば、ロック部材１３の傾斜面１４１によって押圧されたプラグ本体２１がプラグ挿入口１２１の周囲に形成される筐体縁部１２２を押圧し、傾斜面１４１と筐体縁部１２２とによってプラグ本体２１が挟まれることでロックされても良い。
【００６０】
例えば、図１２に示す変形例では、筐体１２における筐体縁部１２２とモジュラージャック１１のコネクタ縁部１１１との位置が、側璧面１２０を正面から眺めた場合に互いに重なっている。この場合においても、ロック爪破損プラグ２０Ａをモジュラージャック１１に挿入後、ロック部材１３を退避位置からロック位置にスライドさせることで、ロック部材１３の傾斜面１４１によってプラグ本体２１の左上角部２１６が斜め右下方向へと押圧される。
【００６１】
図１２に示す例では、筐体縁部１２２とコネクタ縁部１１１との位置が前後に重なっているため、プラグ本体２１からの第２押圧力Ｆ２が、筐体縁部１２２およびコネクタ縁部１１１の双方に伝達される。つまり、ロック部材１３の傾斜面１４１によって押圧されたプラグ本体２１は、筐体縁部１２２およびコネクタ縁部１１１の双方を押圧する。例えば、プラグ本体２１における一般底面２１３が、筐体縁部１２２の下方縁部１２２Ａおよびコネクタ縁部１１１の下方縁部１１１Ａを押圧する。その結果、プラグ本体２１は、筐体縁部１２２の下方縁部１２２Ａ、コネクタ縁部１１１の下方縁部１１１Ａ、およびロック部材１３の傾斜面１４１によって挟まれ、ロックされる。
【００６２】
また、上記の例では、プラグ本体２１が、筐体縁部１２２およびコネクタ縁部１１１の双方を押圧する場合を説明したが、筐体縁部１２２のみをプラグ本体２１によって押圧させて、プラグ本体２１をロックするようにしても良い。この場合、プラグ本体２１が、ロック部材１３の傾斜面１４１と筐体縁部１２２とによって挟まれることにより、ロックされる。これにより、ロック爪破損プラグ２０Ａの不用意な抜け出しを抑制することが可能となる。
【００６３】
また、本実施形態に係るロック部材１３は、ＬＡＮケーブル用のモジュラープラグの抜け出しを抑制する場合を例に説明したが、モジュラープラグの種類は特定のものに限定されない。例えば、電話機用のモジュラープラグの抜け出しを抑制する用途で、上述のロック部材１３を適用してもよい。また、本実施形態では、モジュラージャック１１を備える電子装置１の一例としてノート型パーソナルコンピュータを採用しているが、他の電子装置を採用してもよい。
【符号の説明】
【００６４】
１・・・電子装置
１１・・・モジュラージャック
１２・・・筐体
１３・・・ロック部材
１４・・・スライド本体部
１５・・・第１脚部
１６・・・第２脚部
１７・・・突起部
２０，２０Ａ・・・モジュラープラグ
２１・・・プラグ本体
【図１】
2014038756.tif 000003
【図２】
2014038756.tif 000004
【図３】
2014038756.tif 000005
【図４】
2014038756.tif 000006
【図５Ａ】
2014038756.tif 000007
【図５Ｂ】
2014038756.tif 000008
【図５Ｃ】
2014038756.tif 000009
【図５Ｄ】
2014038756.tif 000010
【図６】
2014038756.tif 000011
【図７Ａ】
2014038756.tif 000012
【図７Ｂ】
2014038756.tif 000013
【図８Ａ】
2014038756.tif 000014
【図８Ｂ】
2014038756.tif 000015
【図９】
2014038756.tif 000016
【図１０】
2014038756.tif 000017
【図１１】
2014038756.tif 000018
【図１２】
2014038756.tif 000019